(57)【特許請求の範囲】
【請求項１】
吸着剤が表面に担持された第１の熱交換器（３）が収納された第１熱交換室（６９）と、
該第１熱交換室（６９）に隣接して形成され、吸着剤が表面に担持された第２の熱交換器（５）が収納された第２熱交換室（７３）と、
上記２つの熱交換室（６９，７３）の各一面が連続する厚さ方向の一端面に沿って形成され且つ両熱交換室（６９，７３）の厚さ方向に重畳して配置された空気の第１の流入路（６３）及び第１の流出路（６５）と、
上記２つの熱交換室（６９，７３）の各一面が連続する端面で上記一端面に対向する他端面に沿って形成され且つ両熱交換室（６９，７３）の厚さ方向に重畳して配置された空気の第２の流入路（５７）及び第２の流出路（５９）と、
上記第１熱交換室（６９）及び第２熱交換室（７３）と上記各流入路（５７，６３）及び各流出路（５９，６５）とを連通する開口（３１ａ，…，３３ａ，…）を開閉する開閉手段（３５，…，４７，…）とを備えている
ことを特徴とする調湿装置。
【請求項２】
請求項１において、
第１熱交換室（３）及び第２熱交換室（５）と第１の流入路（６３）及び第１の流出路（６５）とを連通する４つの開口（３３ａ〜３３ｄ）は、行列方向に近接して位置するように形成され、
上記第１熱交換室（３）及び第２熱交換室（５）と第２の流入路（５７）及び第２の流出路（５９）とを連通する４つの開口（３１ａ〜３１ｄ）は、行列方向に近接して位置するように形成される一方、
８つの開閉手段（３５，…，４７，…）は、それぞれダンパで構成されている
ことを特徴とする調湿装置。
【請求項３】
請求項１において、
第１の流入路（６３）及び第１の流出路（６５）と第２の流入路（５７）及び第２の流出路（５９）とは、対称となるように配置されている
ことを特徴とする調湿装置。
【請求項４】
請求項１において、
第１の熱交換器（３）及び第２の熱交換器（５）は、該第１の熱交換器（３）及び第２の熱交換器（５）で冷媒の凝縮と蒸発とを交互に行うように、冷媒が循環して蒸気圧縮式冷凍サイクルを行う冷媒回路（１）に設けられている
ことを特徴とする調湿装置。
【請求項５】
請求項４において、
冷媒が蒸発する熱交換器（３，５）を流れる空気の水分を吸着剤で吸着し、冷媒が凝縮する熱交換器（５，３）を流れる空気に水分を放出させて吸着剤を再生し、上記吸着剤で除湿された空気を室内に供給するように冷媒回路（１）の冷媒循環及び空気流通を切り換える除湿手段（８０）が設けられている
ことを特徴とする調湿装置。
【請求項６】
請求項４において、
冷媒が蒸発する熱交換器（3，5）を流れる空気の水分を吸着剤で吸着し、冷媒が凝縮する熱交換器（5，3）を流れる空気に水分を放出させて吸着剤を再生し、上記吸着剤で加湿された空気を室内に供給するように冷媒回路（1）の冷媒循環及び空気流通を切り換える加湿手段（81）が設けられている
ことを特徴とする調湿装置。
【請求項７】
請求項４において、
冷媒が蒸発する熱交換器（３，５）を流れる空気の水分を吸着剤で吸着し、冷媒が凝縮する熱交換器（５，３）を流れる空気に水分を放出させて吸着剤を再生し、上記吸着剤で除湿された空気を室内に供給するように冷媒回路（１）の冷媒循環及び空気流通を切り換える除湿手段（８０）と、
冷媒が蒸発する熱交換器（３，５）を流れる空気の水分を吸着剤で吸着し、冷媒が凝縮する熱交換器（５，３）を流れる空気に水分を放出させて吸着剤を再生し、上記吸着剤で加湿された空気を室内に供給するように冷媒回路（１）の冷媒循環及び空気流通を切り換える加湿手段（８１）とが設けられ、
除湿運転と加湿運転とに切り換わるように上記除湿手段（８０）と加湿手段（８１）とが切り換え可能に構成されている
ことを特徴とする調湿装置。
【発明の詳細な説明】
【０００１】
【発明の属する技術分野】
本発明は、調湿装置に関し、特に、空気の流通対策に係るものである。
【０００２】
【従来の技術】
従来より、吸着剤を用いて空気の湿度の調整を行う調湿装置が知られている（例えば、特許文献１）。
【０００３】
この調湿装置は、室外空気又は室内空気を流通させる空気通路を有している。そして、上記空気通路の内部には、冷媒を循環させて蒸気圧縮式冷凍サイクルを行う冷媒回路の配管の一部が設置されている。この空気通路内の配管は、蒸発器又は凝縮器として機能する。更に、空気通路には、吸着剤が封入された網目状部材からなるメッシュ容器が配管の周囲に設けられている。
【０００４】
上記メッシュ容器の吸着剤は、配管が蒸発器として機能するときに、配管を流れる冷媒によって冷却されることにより、網目状部材を介して室内空気又は室外空気の水分の吸着を行う。また、吸着剤に吸着された水分は、配管が凝縮器として機能するときに、配管を流れる冷媒によって加熱されることにより脱離する。それにより、吸着剤が再生される。
【０００５】
【特許文献１】
特開平８−１８９６６７号公報
【０００６】
【発明が解決しようとする課題】
しかしながら、上述した従来の調湿装置においては、空気の流通系統について何ら考慮されておらず、コンパクト化が望まれていた。つまり、配管が蒸発器として機能するときと、配管が凝縮器として機能するときとで、空気の流通系統を切り換える必要がある。特に、吸着剤の吸着と再生とを連続的に行うようにするには更に空気系統が複雑になるという問題があった。
【０００７】
その上、従来の調湿装置においては、空気を冷却及び加熱する手段である配管と、水分の吸着手段であるメッシュ容器とを別個に形成して配置していた。したがって、空気の流通系統がより複雑化すると共に、大型化するという問題があった。
【０００８】
本発明は、斯かる点に鑑みて成されたもので、空気系統を改良することにより小型化を図ることを目的とするものである。
【０００９】
【課題を解決するための手段】
図１に示すように、請求項１に係る発明は、吸着剤が表面に担持された第１の熱交換器（３）が収納された第１熱交換室（６９）と、該第１熱交換室（６９）に隣接して形成され、吸着剤が表面に担持された第２の熱交換器（５）が収納された第２熱交換室（７３）とが設けられている。更に、上記２つの熱交換室（６９，７３）の各一面が連続する厚さ方向の一端面に沿って形成された空気の第１の流入路（６３）及び第１の流出路（６５）が両熱交換室（６９，７３）の厚さ方向に重畳して配置されている。その上、上記２つの熱交換室（６９，７３）の各一面が連続する端面で上記一端面に対向する他端面に沿って形成された空気の第２の流入路（５７）及び第２の流出路（５９）が両熱交換室（６９，７３）の厚さ方向に重畳して配置されている。加えて、上記第１熱交換室（６９）及び第２熱交換室（７３）と上記各流入路（５７，６３）及び各流出路（５９，６５）とを連通する開口（３１ａ，…，３３ａ，…）を開閉する開閉手段（３５，…，４７，…）が設けられている。
【００１０】
この請求項１に係る発明では、開閉手段（３５，…，４７，…）の開閉制御によって第１熱交換室（６９）と第２熱交換室（７３）との空気流通を切り換える。この結果、吸湿と放湿とが第１熱交換室（６９）と第２熱交換室（７３）とで行われることになる。
【００１１】
また、請求項２に係る発明は、請求項１において、第１熱交換室（３）及び第２熱交換室（５）と第１の流入路（６３）及び第１の流出路（６５）とを連通する４つの開口（３３ａ〜３３ｄ）は、行列方向に近接して位置するように形成されている。更に、上記第１熱交換室（３）及び第２熱交換室（５）と第２の流入路（５７）及び第２の流出路（５９）とを連通する４つの開口（３１ａ〜３１ｄ）は、行列方向に近接して位置するように形成されている。加えて、８つの開閉手段（３５，…，４７，…）は、それぞれダンパで構成されている。
【００１２】
この請求項２に係る発明では、８つのダンパ（３５，…，４７，…）を開閉し、空気の流通方向を切り換える。この結果、吸湿と放湿とが第１熱交換室（６９）と第２熱交換室（７３）とで行われることになる。
【００１３】
また、請求項３に係る発明は、請求項１において、第１の流入路（６３）及び第１の流出路（６５）と第２の流入路（５７）及び第２の流出路（５９）とは、対称となるように配置されている。
【００１４】
この請求項３に係る発明では、第１の流入路（６３）及び第１の流出路（６５）と第２の流入路（５７）及び第２の流出路（５９）とがコンパクトに配置されると共に、空気の流通抵抗が抑制される。
【００１５】
また、請求項４に係る発明は、請求項１において、第１の熱交換器（３）及び第２の熱交換器（５）は、該第１の熱交換器（３）及び第２の熱交換器（５）で冷媒の凝縮と蒸発とを交互に行うように、冷媒が循環して蒸気圧縮式冷凍サイクルを行う冷媒回路（１）に設けられている。
【００１６】
この請求項４に係る発明では、第１の熱交換器（３）及び第２の熱交換器（５）における冷媒の凝縮と蒸発とによって吸着剤の吸湿と再生とが行われる。
【００１７】
また、請求項５に係る発明は、請求項４において、冷媒が蒸発する熱交換器（３，５）を流れる空気の水分を吸着剤で吸着し、冷媒が凝縮する熱交換器（５，３）を流れる空気に水分を放出させて吸着剤を再生し、上記吸着剤で除湿された空気を室内に供給するように冷媒回路（１）の冷媒循環及び空気流通を切り換える除湿手段（８０）が設けられている。
【００１８】
この請求項５に係る発明では、除湿手段（８０）が冷媒回路（１）の冷媒循環及び空気流通を切り換えるので、片方の熱交換器（３，５）で空気が除湿され、他の片方の熱交換器（５，３）で吸着剤が再生される。この結果、除湿が連続して行われる。
【００１９】
また、請求項６に係る発明は、請求項４において、冷媒が蒸発する熱交換器（3，5）を流れる空気の水分を吸着剤で吸着し、冷媒が凝縮する熱交換器（5，3）を流れる空気に水分を放出させて吸着剤を再生し、上記吸着剤で加湿された空気を室内に供給するように冷媒回路（1）の冷媒循環及び空気流通を切り換える加湿手段（81）が設けられている。
【００２０】
この請求項６に係る発明では、加湿手段（８１）が冷媒回路（１）の冷媒循環及び空気流通を切り換えるので、片方の熱交換器（３，５）で空気が除湿され、他の片方の熱交換器（５，３）で空気が加湿されて吸着剤が再生される。この結果、加湿が連続して行われる。
【００２１】
また、請求項７に係る発明は、請求項４において、冷媒が蒸発する熱交換器（３，５）を流れる空気の水分を吸着剤で吸着し、冷媒が凝縮する熱交換器（５，３）を流れる空気に水分を放出させて吸着剤を再生し、上記吸着剤で除湿された空気を室内に供給するように冷媒回路（１）の冷媒循環及び空気流通を切り換える除湿手段（８０）が設けられている。更に、冷媒が蒸発する熱交換器（３，５）を流れる空気の水分を吸着剤で吸着し、冷媒が凝縮する熱交換器（５，３）を流れる空気に水分を放出させて吸着剤を再生し、上記吸着剤で加湿された空気を室内に供給するように冷媒回路（１）の冷媒循環及び空気流通を切り換える加湿手段（８１）が設けられている。加えて、除湿運転と加湿運転とに切り換わるように上記除湿手段（８０）と加湿手段（８１）とが切り換え可能に構成されている。
【００２２】
この請求項７に係る発明では、除湿手段（８０）が冷媒回路（１）の冷媒循環及び空気流通を切り換えるので、片方の熱交換器（３，５）で空気が除湿され、他の片方の熱交換器（５，３）で吸着剤が再生される。この結果、除湿が連続して行われる。また、加湿手段（８１）に切り換わると、冷媒回路（１）の冷媒循環及び空気流通を切り換えるので、片方の熱交換器（３，５）で空気が除湿され、他の片方の熱交換器（５，３）で空気が加湿されて吸着剤が再生される。この結果、加湿が連続して行われる。
【００２３】
【発明の実施の形態】
以下、本発明の実施形態を図面に基づいて詳細に説明する。
【００２４】
図１〜図５に示すように、本実施形態の調湿装置は、室内空気の除湿と加湿とを行うものであり、中空直方体状の箱状のケーシング（１７）を備えている。そして、上記ケーシング（１７）には、冷媒回路（１）等が収納されている。
【００２５】
上記冷媒回路（１）は、図１に示すように、圧縮機（７）と、流路切換手段である四路切換弁（９）と、第１の熱交換器である第１熱交換器（３）と、膨張機構である膨張弁（１１）と、第２の熱交換器である第２熱交換器（５）と順に接続されて閉回路に形成されている。
【００２６】
更に、上記冷媒回路（１）は、冷媒が充填され、該冷媒が循環して蒸気圧縮式の冷凍サイクルを行うように構成されている。
【００２７】
上記第１熱交換器（３）の一端は、四路切換弁（９）に接続されている。第１熱交換器（３）の他端は、膨張弁（１１）を介して第２熱交換器（５）の一端に接続されている。第２熱交換器（５）の他端は、四路切換弁（９）に接続されている。
【００２８】
図２に示すように、第１熱交換器（３）及び第２熱交換器（５）は、それぞれクロスフィン式のフィン・アンド・チューブ型熱交換器により構成されている。具体的に、第１熱交換器（３）及び第２熱交換器（５）は、長方形板状に形成されたアルミニウム製の多数のフィン（１３）と、このフィン（１３）を貫通する銅製の伝熱管（１５）とを備えている。
【００２９】
上記各フィン（１３）及び伝熱管（１５）の外表面には、吸着剤がディップ成形（浸漬成形）により担持されている。
【００３０】
吸着剤としては、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料などが挙げられる。
【００３１】
尚、上記第１熱交換器（３）及び第２熱交換器（５）は、クロスフィン式のフィン・アンド・チューブ型熱交換器により構成されているが、これに限らず、他の形式の熱交換器、例えば、コルゲートフィン式の熱交換器等であってもよい。
【００３２】
また、本実施形態では、各フィン（１３）及び伝熱管（１５）の外表面に吸着剤をディップ成形により担持しているが、これに限らず、吸着剤としての性能を損なわない限り、如何なる方法でその外表面に吸着剤を担持してもよい。
【００３３】
上記四路切換弁（９）は、第１のポートと第３のポートとが連通すると同時に第２のポートと第４のポートが連通する状態（図１（ａ）に示す状態）と、第１のポートと第４のポートとが連通すると同時に第２のポートと第３のポートとが連通する状態（図１（ｂ）に示す状態）とに切り換え自在に構成されている。そして、この四路切換弁（９）を切り換えることにより、第１熱交換器（３）が凝縮器として機能すると同時に第２熱交換器（５）が蒸発器として機能する第１動作と、第２熱交換器（５）が凝縮器として機能すると同時に第１熱交換器（３）が蒸発器として機能する第２動作との切り換えが行われる。
【００３４】
次に、図３〜図５に基づいて、ケーシング（１７）の内部構造について説明する。尚、上記ケーシング（１７）は、図３において、下端をケーシング（１７）の正面とし、上端をケーシング（１７）の背面とし、左端をケーシング（１７）の左側面とし、右端をケーシング（１７）の右側面とする。また、上記ケーシング（１７）は、図４及び図５において、上端がケーシング（１７）の上面であり、下端がケーシング（１７）の下面である。
【００３５】
先ず、上記ケーシング（１７）は、平面視正方形で、扁平な箱形に形成されている。上記ケーシング（１７）の左側面板（１７ａ）には、室外空気ＯＡを取り入れる第１吸込口（１９）と、リターン空気である室内空気ＲＡを取り入れる第２吸込口（２１）とが形成されている。一方、上記ケーシング（１７）の右側面板（１７ｂ）には、排出空気ＥＡを室外に排出する第１吹出口（２３）と、調湿空気ＳＡを室内に供給する第２吹出口（２５）とが形成されている。
【００３６】
上記ケーシング（１７）の内部には、仕切部材である仕切板（２７）が設けられ、該仕切板（２７）によって上記ケーシング（１７）の内部には、空気室（２９ａ）と機器室（２９ｂ）とが形成されている。上記仕切板（２７）は、ケーシング（１７）の厚さ方向である垂直方向に設けられ、図４及び図５において、上端であるケーシング（１７）の上面板（１７ｅ）から下端であるケーシング（１７）の下面板（１７ｆ）に亘って設けられている。更に、上記仕切板（２７）は、図３において、下端であるケーシング（１７）の正面板（１７ｃ）から上端であるケーシング（１７）の背面板（１７ｄ）に亘って設けられている。また、上記仕切板（２７）は、図３において、ケーシング（１７）の中央部よりやや右側に配置されている。
【００３７】
上記機器室（２９ｂ）には、冷媒回路（１）における熱交換器（３，５）を除く圧縮機（７）などが配置される共に、第１ファン（７９）と第２ファン（７７）とが収納されている。そして、上記第１ファン（７９）は、第１吹出口（２３）に接続され、第２ファン（７７）は、第２吹出口（２５）に接続されている。
【００３８】
上記ケーシング（１７）の空気室（２９ａ）には、仕切部材である第１端面板（３３）と仕切部材である第２端面板（３１）と仕切部材である中央の区画板（６７）とが設けられている。上記第１端面板（３３）と第２端面板（３１）と区画板（６７）とは、ケーシング（１７）の厚さ方向である垂直方向に設けられ、図４及び図５に示すように、ケーシング（１７）の上面板（１７ｅ）から下面板（１７ｆ）に亘って設けられている。
【００３９】
上記第１端面板（３３）と第２端面板（３１）とは、図３に示すように、ケーシング（１７）の左側面板（１７ａ）から仕切板（２７）に亘って設けられている。また、上記第１端面板（３３）は、図３において、ケーシング（１７）の中央部よりやや上側に配置され、上記第２端面板（３１）は、図３において、ケーシング（１７）の中央部よりやや下側に配置されている。
【００４０】
上記区画板（６７）は、図３に示すように、第１端面板（３３）と第２端面板（３１）とに亘って設けられている。
【００４１】
そして、上記ケーシング（１７）の内部には、第１端面板（３３）と第２端面板（３１）と区画板（６７）と仕切板（２７）とによって第１熱交換室（６９）が区画形成されている。また、上記ケーシング（１７）の内部には、第１端面板（３３）と第２端面板（３１）と区画板（６７）とケーシング（１７）の左側面板（１７ａ）とによって第２熱交換室（７３）が区画形成されている。つまり、上記第１熱交換室（６９）は、図３において右側に位置し、上記第２熱交換室（７３）は、図３において左側に位置し、上記第１熱交換室（６９）と第２熱交換室（７３）とは、隣接して並行に形成されている。
【００４２】
また、上記第１熱交換室（６９）には、第１熱交換器（３）が配置され、上記第２熱交換室（７３）には、第２熱交換器（５）が配置されている。
【００４３】
上記第１端面板（３３）とケーシング（１７）の背面板（１７ｄ）との間には、仕切部材である水平板（６１）が設けられて第１流入路（６３）と第１流出路（６５）とが形成されている。また、上記第２端面板（３１）とケーシング（１７）の正面板（１７ｃ）との間には、仕切部材である水平板（５５）が設けられて第２流入路（５７）と第２流出路（５９）とが形成されている。
【００４４】
上記水平板（６１，５５）は、ケーシング（１７）の内部空間をケーシング（１７）の厚さ方向である垂直方向に上下に仕切っている。そして、図４において、第１流入路（６３）が上面側に、第１流出路（６５）が下面側に形成され、図５において、第２流入路（５７）が上面側に、第２流出路（５９）が下面側に形成されている。
【００４５】
つまり、上記第１流入路（６３）と第１流出路（６５）とは、第１熱交換室（６９）及び第２熱交換室（７３）の各一面が連続する厚さ方向の一端面に沿って形成され、且つ第１熱交換室（６９）及び第２熱交換室（７３）の厚さ方向に重畳して配置されている。
【００４６】
また、上記第２流入路（５７）と第２流出路（５９）とは、第１熱交換室（６９）及び第２熱交換室（７３）の各一面が連続する端面で上記一端面に対向する対向面に沿って形成され、且つ第１熱交換室（６９）及び第２熱交換室（７３）の厚さ方向に重畳して配置されている。
【００４７】
そして、上記第１流入路（６３）及び第１流出路（６５）と第２流入路（５７）及び第２流出路（５９）とは、図３において、対称に配置され、つまり、第１熱交換室（６９）及び第２熱交換室（７３）を横断する中央線を基準として面対称に配置されている。
【００４８】
更に、上記第１流入路（６３）は、第１吸込口（１９）に連通し、上記第１流出路（６５）は、第１ファン（７９）に連通して第１吹出口（２３）に連通している。また、上記第２流入路（５７）は、第２吸込口（２１）に連通し、上記第２流出路（５９）は、第２ファン（７７）に連通して第２吹出口（２５）に連通している。
【００４９】
上記第１端面板（３３）には、図４に示すように、４つの開口（３３ａ〜３３ｄ）が形成されて、各開口（３３ａ〜３３ｄ）には、第１ダンパ（４７）、第２ダンパ（４９）、第３ダンパ（５１）及び第４ダンパ（５３）が設けられている。上記４つの開口（３３ａ〜３３ｄ）は、行列方向に近接して位置し、つまり、上下左右に２つずつ升目状に配置され、第１の開口（３３ａ）と第３の開口（３３ｃ）とが第１熱交換室（６９）に開口し、第２の開口（３３ｂ）と第４の開口（３３ｄ）とが第２熱交換室（７３）に開口している。
【００５０】
上記第１の開口（３３ａ）は、第１流入路（６３）と第１熱交換室（６９）とを連通させ、上記第３の開口（３３ｃ）は、第１流出路（６５）と第１熱交換室（６９）とを連通させている。また、上記第２の開口（３３ｂ）は、第１流入路（６３）と第２熱交換室（７３）とを連通させ、上記第４の開口（３３ｄ）は、第１流出路（６５）と第２熱交換室（７３）とを連通させている。
【００５１】
上記第２端面板（３１）には、図５に示すように、４つの開口（３１ａ〜３１ｄ）が形成されて、各開口（３１ａ〜３１ｄ）には、第５ダンパ（３５）、第６ダンパ（３７）、第７ダンパ（３９）及び第８ダンパ（４１）が設けられている。上記４つの開口（３１ａ〜３１ｄ）は、行列方向に近接して位置し、つまり、上下左右に２つずつ升目状に配置され、第５の開口（３１ａ）と第７の開口（３１ｃ）とが第１熱交換室（６９）に開口し、第６の開口（３１ｂ）と第８の開口（３１ｄ）とが第２熱交換室（７３）に開口している。
【００５２】
上記第５の開口（３１ａ）は、第２流入路（５７）と第１熱交換室（６９）とを連通させ、上記第７の開口（３１ｃ）は、第２流出路（５９）と第１熱交換室（６９）とを連通させている。また、上記第６の開口（３１ｂ）は、第２流入路（５７）と第２熱交換室（７３）とを連通させ、上記第８の開口（３１ｄ）は、第２流出路（５９）と第２熱交換室（７３）とを連通させている。
【００５３】
上記第１〜第８ダンパ（４７〜５３，３５〜４１）は、開口（３３ａ〜３３ｄ，３１ａ〜３１ｄ）を開閉する開閉手段を構成している。そこで、第５〜第８ダンパ（３５〜４１）に基づいて説明する。上記第５〜第８ダンパ（３５〜４１）は、図６及び図７に示すように、長方形状の羽根部（４３）と、羽根部（４３）の中央部に設けられた軸部（４５）とを有している。上記軸部（４５）は、羽根部（４３）を第１端面板（３３）又は第２端面板（３１）に回転自在に支持している。そして、上記第５〜第８ダンパ（３５〜４１）は、図７に示すように、羽根部（４３）が水平状態になることにより、開口（３１ａ〜３１ｄ）を開状態とするように構成されている。他の第１〜第４ダンパ（４７〜５３）も同一構造に構成されている。
【００５４】
尚、上記各ダンパ（３５〜４１）は、図６及び図７に示す構造に限られるものではない。つまり、上記各ダンパ（４７〜５３，３５〜４１）は、図８及び図９に示す構造又は図１０及び図１１に示す構造であってもよい。
【００５５】
図８及び図９に示す第５〜第８ダンパ（３５〜４１）は、２枚の羽根部（４３）を備えている。そして、上記第５〜第８ダンパ（３５〜４１）は、２枚の羽根部（４３）が上方と下方とに別個に回動し、開口（３１ａ〜３１ｄ）を開状態とするように構成されている。
【００５６】
また、図１０及び図１１に示す第５〜第８ダンパ（３５〜４１）は、２枚の羽根部（４３）を備えている。そして、上記第５〜第８ダンパ（３５〜４１）は、２枚の羽根部（４３）を上部に折り畳み、開口（３１ａ〜３１ｄ）を開状態とするように構成されている。
【００５７】
また、上記調湿装置は、除湿手段（８０）と加湿手段（８１）とが設けられている。そして、上記除湿手段（８０）と加湿手段（８１）とは切り換え可能に構成され、除湿運転と加湿運転とが切り換わるように構成されている。
【００５８】
上記除湿手段（８０）は、冷媒が蒸発する第１熱交換器（３）又は第２熱交換器（５）を流れる空気の水分を吸着剤で吸着し、冷媒が凝縮する第２熱交換器（５）又は第１熱交換器（３）を流れる空気に水分を放出させて吸着剤を再生し、上記吸着剤で除湿された空気を室内に供給するように冷媒回路（１）の冷媒循環及びダンパ（４７〜５３，３５〜４１）による空気流通を切り換える。
【００５９】
一方、上記加湿手段（８１）は、冷媒が蒸発する第１熱交換器（３）又は第２熱交換器（５）を流れる空気の水分を吸着剤で吸着し、冷媒が凝縮する第２熱交換器（５）又は第１熱交換器（３）を流れる空気に水分を放出させて吸着剤を再生し、上記吸着剤で加湿された空気を室内に供給するように冷媒回路（１）の冷媒循環及びダンパ（４７〜５３，３５〜４１）による空気流通を切り換える。
【００６０】
〈運転動作〉
次に、上述した調湿装置の運転動作について説明する。該調湿装置は、第１空気と第２空気とを取り込み、除湿運転と加湿運転とを切り換えて行う。また、上記調湿装置は、第１動作と第２動作とを交互に繰り返すことにより、除湿運転及び加湿運転を連続的に行う。また、上記調湿装置は、全換気モードの除湿運転及び加湿運転と、循環モードの除湿運転及び加湿運転とを行う。
【００６１】
−全換気モードの除湿運転−
上記除湿手段（８０）による全換気モードの除湿運転は、室外空気ＯＡを第１空気として取り込み室内に供給する一方、室内空気ＲＡを第２空気として取り込み室外に排出する運転である。
【００６２】
《第１動作》
第１ファン（７９）及び第２ファン（７７）を駆動した第１動作では、第２熱交換器（５）での吸着動作と、第１熱交換器（３）での再生（脱離）動作とが行われる。つまり、第１動作では、第２熱交換器（５）に室外空気ＯＡ中の水分が吸着され、第１熱交換器（３）から脱離した水分が室内空気ＲＡに付与される。
【００６３】
図１（ａ）及び図１２に示すように、第１動作時には、第２ダンパ（４９）と第３ダンパ（５１）と第８ダンパ（４１）と第５ダンパ（３５）とが開き、第１ダンパ（４７）と第４ダンパ（５３）と第６ダンパ（３７）と第７ダンパ（３９）とが閉じる。そして、第１熱交換器（３）に室内空気ＲＡを供給し、第２熱交換器（５）に室外空気ＯＡを供給する。
【００６４】
また、四路切換弁（９）は、図１（ａ）に示す状態に切り換えられる。その結果、冷媒回路（１）の第１熱交換器（３）が凝縮器として機能し、第２熱交換器（５）が蒸発器として機能する。
【００６５】
つまり、圧縮機（７）から吐出された高温高圧の冷媒は、加熱用の熱媒体として第１熱交換器（３）に流れる。この第１熱交換器（３）において、冷媒によってフィン（１３）及び伝熱管（１５）の外表面に担持された吸着剤が加熱される。この加熱によって吸着剤から水分が脱離して吸着剤が再生される。
【００６６】
一方、上記第１熱交換器（３）で凝縮した冷媒は、膨張弁（１１）で減圧される。減圧後の冷媒は、冷却用の熱媒体として第２熱交換器（５）に流れる。この第２熱交換器（５）において、フィン（１３）及び伝熱管（１５）の外表面に担持された吸着剤が水分を吸着する際に吸着熱が発生する。第２熱交換器（５）の冷媒は、この吸着熱を吸熱して蒸発する。蒸発した冷媒は、圧縮機（７）に戻り、冷媒はこの循環を繰り返す。
【００６７】
また、第１ファン（７９）及び第２ファン（７７）の駆動により、第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、第１熱交換器（３）の吸着剤より脱離した水分が放出されて加湿される。この加湿された室内空気ＲＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【００６８】
一方、第１吸込口（１９）より流入した室外空気ＯＡは、第１流入路（６３）を流れ、第２の開口（３３ｂ）から第２熱交換室（７３）に流れる。この第２熱交換室（７３）において、室外空気ＯＡは、水分が第２熱交換器（５）の吸着剤に吸着されて除湿される。この除湿された室外空気ＯＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【００６９】
この第１動作を行った後、第２動作を行う。
【００７０】
《第２動作》
第１ファン（７９）及び第２ファン（７７）を駆動した第２動作では、第１熱交換器（３）での吸着動作と、第２熱交換器（５）での再生動作とが行われる。つまり、第２動作では、第１熱交換器（３）に室外空気ＯＡ中の水分が吸着され、第２熱交換器（５）から脱離した水分が室内空気ＲＡに付与される。
【００７１】
図１（ｂ）及び図１３に示すように、第２動作時には、第１ダンパ（４７）と第４ダンパ（５３）と第７ダンパ（３９）と第６ダンパ（３７）とが開き、第３ダンパ（５１）と第２ダンパ（４９）と第５ダンパ（３５）と第８ダンパ（４１）とが閉じる。そして、第１熱交換器（３）に室外空気ＯＡを供給し、第２熱交換器（５）に室内空気ＲＡを供給する。
【００７２】
また、上記四路切換弁（９）は、図１（ｂ）に示す状態に切り換えられる。その結果、冷媒回路（１）では、第２熱交換器（５）が凝縮器として機能し、第１熱交換器（３）が蒸発器として機能する。
【００７３】
つまり、圧縮機（７）から吐出された高温高圧の冷媒は、加熱用の熱媒体として第２熱交換器（５）に流れる。この第２熱交換器（５）において、冷媒によってフィン（１３）及び伝熱管（１５）の外表面に担持された吸着剤が加熱される。この加熱によって吸着剤から水分が脱離して吸着剤が再生される。
【００７４】
一方、上記第２熱交換器（５）で凝縮した冷媒は、膨張弁（１１）で減圧される。減圧後の冷媒は、冷却用の熱媒体として第１熱交換器（３）に流れる。この第１熱交換器（３）において、フィン（１３）及び伝熱管（１５）の外表面に担持された吸着剤が水分を吸着する際に吸着熱が発生する。第１熱交換器（３）の冷媒は、この吸着熱を吸熱して蒸発する。蒸発した冷媒は、圧縮機（７）に戻り、冷媒はこの循環を繰り返す。
【００７５】
また、第１ファン（７９）及び第２ファン（７７）の駆動により、第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、第２熱交換器（５）の吸着剤より脱離した水分が放出されて加湿される。この加湿された室内空気ＲＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【００７６】
一方、第１吸込口（１９）より流入した室外空気ＯＡは、第１流入路（６３）を流れ、第１の開口（３３ａ）から第１熱交換室（６９）に流れる。この第１熱交換室（６９）において、室外空気ＯＡは、水分が第１熱交換器（３）の吸着剤に吸着されて除湿される。この除湿された室外空気ＯＡは、調湿空気ＳＡとなり、第１熱交換室（６９）から第７の開口（３１ｃ）を経て第２流出路（５９）を流れ、第２ファン（７７）を経て第２吹出口（２５）より室内に供給される。
【００７７】
この第２動作を行った後、再び第１動作を行う。そして、この第１動作と第２動作とを繰り返して室内の除湿を連続的に行う。
【００７８】
−全換気モードの加湿運転−
上記加湿手段（８１）による全換気モードの加湿運転は、室内空気ＲＡを第１空気として取り込み室外に排出し、室外空気ＯＡを第２空気として取り込み室内に供給する運転である。
【００７９】
《第１動作》
第１ファン（７９）及び第２ファン（７７）を駆動した第１動作では、第２熱交換器（５）での吸着動作と、第１熱交換器（３）での再生動作とが行われる。つまり、第１動作では、第２熱交換器（５）に室内空気ＲＡ中の水分が吸着され、第１熱交換器（３）から脱離した水分が室外空気ＯＡに付与される。
【００８０】
図１（ａ）及び図１４に示すように、第１動作時には、第１ダンパ（４７）と第４ダンパ（５３）と第７ダンパ（３９）と第６ダンパ（３７）とが開き、第３ダンパ（５１）と第２ダンパ（４９）と第５ダンパ（３５）と第８ダンパ（４１）とが閉じる。そして、第１熱交換器（３）に室外空気ＯＡを供給し、第２熱交換器（５）に室内空気ＲＡを供給する。
【００８１】
また、四路切換弁（９）は、図１（ａ）に示す状態に切り換えられる。その結果、冷媒回路（１）の第１熱交換器（３）が凝縮器として機能し、第２熱交換器（５）が蒸発器として機能する。
【００８２】
つまり、圧縮機（７）から吐出された高温高圧の冷媒は、加熱用の熱媒体として第１熱交換器（３）に流れる。この第１熱交換器（３）において、冷媒によってフィン（１３）及び伝熱管（１５）の外表面に担持された吸着剤が加熱される。この加熱によって吸着剤から水分が脱離して吸着剤が再生される。
【００８３】
一方、上記第１熱交換器（３）で凝縮した冷媒は、膨張弁（１１）で減圧される。減圧後の冷媒は、冷却用の熱媒体として第２熱交換器（５）に流れる。この第２熱交換器（５）において、フィン（１３）及び伝熱管（１５）の外表面に担持された吸着剤が水分を吸着する際に吸着熱が発生する。第２熱交換器（５）の冷媒は、この吸着熱を吸熱して蒸発する。蒸発した冷媒は、圧縮機（７）に戻り、冷媒はこの循環を繰り返す。
【００８４】
また、第１ファン（７９）及び第２ファン（７７）の駆動により、第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、水分が第２熱交換器（５）の吸着剤に吸着されて除湿される。この除湿された室内空気ＲＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【００８５】
一方、第１吸込口（１９）より流入した室外空気ＯＡは、第１流入路（６３）を流れ、第１の開口（３３ａ）から第１熱交換室（６９）に流れる。この第１熱交換室（６９）において、第１熱交換器（３）の吸着剤より脱離した水分が放出されて加湿される。この加湿された室外空気ＯＡは、調湿空気ＳＡとなり、第１熱交換室（６９）から第７の開口（３１ｃ）を経て第２流出路（５９）を流れ、第２ファン（７７）を経て第２吹出口（２５）より室内に供給される。
【００８６】
この第１動作を行った後、第２動作を行う。
【００８７】
《第２動作》
第１ファン（７９）及び第２ファン（７７）を駆動した第２動作では、第１熱交換器（３）での吸着動作と、第２熱交換器（５）での再生動作とが行われる。つまり、第２動作では、第１熱交換器（３）に室内空気ＲＡ中の水分が吸着され、第２熱交換器（５）から脱離した水分が室外空気ＯＡに付与される。
【００８８】
図１（ｂ）及び図１５に示すように、第２動作時には、第２ダンパ（４９）と第３ダンパ（５１）と第８ダンパ（４１）と第５ダンパ（３５）とが開き、第４ダンパ（５３）と第１ダンパ（４７）と第６ダンパ（３７）と第７ダンパ（３９）とが閉じる。そして、第１熱交換器（３）に室内空気ＲＡを供給し、第２熱交換器（５）に室外空気ＯＡを供給する。
【００８９】
また、上記四路切換弁（９）は、図１（ｂ）に示す状態に切り換えられる。その結果、冷媒回路（１）では、第２熱交換器（５）が凝縮器として機能し、第１熱交換器（３）が蒸発器として機能する。
【００９０】
つまり、圧縮機（７）から吐出された高温高圧の冷媒は、加熱用の熱媒体として第２熱交換器（５）に流れる。この第２熱交換器（５）において、冷媒によってフィン（１３）及び伝熱管（１５）の外表面に担持された吸着剤が加熱される。この加熱によって吸着剤から水分が脱離して吸着剤が再生される。
【００９１】
一方、上記第２熱交換器（５）で凝縮した冷媒は、膨張弁（１１）で減圧される。減圧後の冷媒は、冷却用の熱媒体として第１熱交換器（３）に流れる。この第１熱交換器（３）において、フィン（１３）及び伝熱管（１５）の外表面に担持された吸着剤が水分を吸着する際に吸着熱が発生する。第１熱交換器（３）の冷媒は、この吸着熱を吸熱して蒸発する。蒸発した冷媒は、圧縮機（７）に戻り、冷媒はこの循環を繰り返す。
【００９２】
また、第１ファン（７９）及び第２ファン（７７）の駆動により、第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、水分が第１熱交換器（３）の吸着剤に吸着されて除湿される。この除湿された室内空気ＲＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【００９３】
一方、第１吸込口（１９）より流入した室外空気ＯＡは、第１流入路（６３）を流れ、第２の開口（３３ｂ）から第２熱交換室（７３）に流れる。この第２熱交換室（７３）において、第２熱交換器（５）の吸着剤より脱離した水分が放出されて加湿される。この加湿された室外空気ＯＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【００９４】
この第２動作を行った後、再び第１動作を行う。そして、この第１動作と第２動作とを繰り返して室内の加湿を連続的に行う。
【００９５】
−循環モードの除湿運転−
上記除湿手段（８０）による循環モードの除湿運転は、室内空気ＲＡを第１空気として取り込み室内に供給する一方、室外空気ＯＡを第２空気として取り込み室外に排出する運転である。尚、冷媒回路の冷媒循環は、全換気モードと同じであるので、説明を省略する。
【００９６】
《第１動作》
第１動作では、第２熱交換器（５）での吸着動作と、第１熱交換器（３）での再生（脱離）動作とが行われる。つまり、第１動作では、第２熱交換器（５）に室内空気ＲＡ中の水分が吸着され、第１熱交換器（３）から脱離した水分が室外空気ＯＡに付与される。
【００９７】
この第１動作時には、第１ダンパ（４７）と第３ダンパ（５１）と第６ダンパ（３７）と第８ダンパ（４１）とが開き、第２ダンパ（４９）と第４ダンパ（５３）と第５ダンパ（３５）と第７ダンパ（３９）とが閉じる。そして、第１熱交換器（３）に室外空気ＯＡを供給し、第２熱交換器（５）に室内空気ＲＡを供給する。
【００９８】
第１吸込口（１９）より流入した室外空気ＯＡは、第１流入路（６３）を流れ、第１の開口（３３ａ）から第１熱交換室（６９）に流れる。この第１熱交換室（６９）において、室外空気ＯＡは、第１熱交換器（３）の吸着剤より脱離した水分が放出されて加湿される。この加湿された室外空気ＯＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【００９９】
一方、第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、水分が第２熱交換器（５）の吸着剤に吸着されて除湿される。この除湿された室内空気ＲＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【０１００】
この第１動作を行った後、第２動作を行う。
【０１０１】
《第２動作》
第２動作では、第１熱交換器（３）での吸着動作と、第２熱交換器（５）での再生動作とが行われる。つまり、第２動作では、第１熱交換器（３）に室内空気ＲＡ中の水分が吸着され、第２熱交換器（５）から脱離した水分が室外空気ＯＡに付与される。
【０１０２】
この第２動作時には、第２ダンパ（４９）と第４ダンパ（５３）と第５ダンパ（３５）と第７ダンパ（３９）とが開き、第１ダンパ（４７）と第３ダンパ（５１）と第６ダンパ（３７）と第８ダンパ（４１）とが閉じる。そして、第１熱交換器（３）に室内空気ＲＡを供給し、第２熱交換器（５）に室外空気ＯＡを供給する。
【０１０３】
第１吸込口（１９）より流入した室外空気ＯＡは、第１流入路（６３）を流れ、第２の開口（３３ｂ）から第２熱交換室（７３）に流れる。この第２熱交換室（７３）において、室外空気ＯＡは、第２熱交換器（５）の吸着剤より脱離した水分が放出されて加湿される。この加湿された室外空気ＯＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【０１０４】
一方、第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、水分が第１熱交換器（３）の吸着剤に吸着されて除湿される。この除湿された室内空気ＲＡは、調湿空気ＳＡとなり、第１熱交換室（６９）から第７の開口（３１ｃ）を経て第２流出路（５９）を流れ、第２ファン（７７）を経て第２吹出口（２５）より室内に供給される。
【０１０５】
この第２動作を行った後、再び第１動作を行う。そして、この第１動作と第２動作とを繰り返して室内の除湿を連続的に行う。
【０１０６】
−循環モードの加湿運転−
上記加湿手段（８１）による循環モードの加湿運転は、室外空気ＯＡを第１空気として取り込み室外に排出し、室内空気ＲＡを第２空気として取り込み室内に供給する運転である。尚、冷媒回路の冷媒循環は、全換気モードと同じであるので、説明を省略する。
【０１０７】
《第１動作》
第１動作では、第２熱交換器（５）での吸着動作と、第１熱交換器（３）での再生動作とが行われる。つまり、第１動作では、第２熱交換器（５）に室外空気ＯＡ中の水分が吸着され、第１熱交換器（３）から脱離した水分が室内空気ＲＡに付与される。
【０１０８】
この第１動作時には、第２ダンパ（４９）と第４ダンパ（５３）と第５ダンパ（３５）と第７ダンパ（３９）とが開き、第１ダンパ（４７）と第３ダンパ（５１）と第６ダンパ（３７）と第８ダンパ（４１）とが閉じる。そして、第１熱交換器（３）に室内空気ＲＡを供給し、第２熱交換器（５）に室外空気ＯＡを供給する。
【０１０９】
第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、第１熱交換器（３）の吸着剤より脱離した水分が放出されて加湿される。この加湿された室内空気ＲＡは、第１熱交換室（６９）から第７の開口（３１ｃ）を経て第２流出路（５９）を流れ、第２ファン（７７）を経て第２吹出口（２５）より室内に供給される。
【０１１０】
一方、第１吸込口（１９）より流入した室外空気ＯＡは、第１流入路（６３）を流れ、第２の開口（３３ｂ）から第２熱交換室（７３）に流れる。この第２熱交換室（７３）において、室外空気ＯＡは、水分が第２熱交換器（５）の吸着剤に吸着されて除湿される。この除湿された室外空気ＯＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【０１１１】
この第１動作を行った後、第２動作を行う。
【０１１２】
《第２動作》
第２動作では、第１熱交換器（３）での吸着動作と、第２熱交換器（５）での再生動作とが行われる。つまり、第２動作では、第１熱交換器（３）に室外空気ＯＡ中の水分が吸着され、第２熱交換器（５）から脱離した水分が室内空気ＲＡに付与される。
【０１１３】
この第２動作時には、第１ダンパ（４７）と第３ダンパ（５１）と第６ダンパ（３７）と第８ダンパ（４１）とが開き、第２ダンパ（４９）と第４ダンパ（５３）と第５ダンパ（３５）と第７ダンパ（３９）とが閉じる。そして、第２熱交換器（５）に室内空気ＲＡを供給し、第１熱交換器（３）に室外空気ＯＡを供給する。
【０１１４】
第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、第２熱交換器（５）の吸着剤より脱離した水分が放出されて加湿される。この加湿された室内空気ＲＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【０１１５】
一方、第１吸込口（１９）より流入した室外空気ＯＡは、第１流入路（６３）を流れ、第１の開口（３３ａ）から第１熱交換室（６９）に流れる。この第１熱交換室（６９）において、室外空気ＯＡは、水分が第２熱交換器（５）の吸着剤に吸着されて除湿される。この除湿された室外空気ＯＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【０１１６】
この第２動作を行った後、再び第１動作を行う。そして、この第１動作と第２動作とを繰り返して室内の加湿を連続的に行う。
【０１１７】
〈性能比較〉
図１６は、本実施形態に係る調湿装置を用いて除湿運転を行った場合と従来の調湿装置を用いて除湿運転を行った場合とを示す空気線図である。尚、本実施形態に係る調湿装置と従来の調湿装置はともに、１時間あたり１５０ｍ３程度の空気の除湿を行うことのできる装置である。
【０１１８】
図１７は、本実施形態に係る調湿装置を用いて除湿運転を行った場合と従来の調湿装置を用いて除湿運転を行った場合とのデータを示している。このデータは、室外空気ＯＡの入口温度等である。尚、図１７に記載された「▲１▼」「▲２▼」等は、図１６に記載された「▲１▼」「▲２▼」等に対応する。
【０１１９】
図１６及び図１７から明らかなように、本実施形態に係る調湿装置の除湿量は、従来の調湿装置の除湿量より多い。具体的には、本実施形態に係る調湿装置の除湿量は、従来の調湿装置の除湿量の２倍以上となる。
【０１２０】
〈実施形態１の効果〉
以上のように、本実施形態によれば、第１熱交換器（３）及び第２熱交換器（５）の伝熱管（１５）の外表面及びフィン（１３）の外表面に吸着剤を担持するようにし、加熱冷却の手段と吸脱着の手段とを一体にするようにしたために、吸着剤の容器を省略して除湿運転及び加湿運転を連続的に行うことができる。この結果、部品点数を少なくすることができ、構造の単純化を図ることができると共に、装置全体のコンパクト化を図ることができる。
【０１２１】
また、上記第１熱交換器（３）及び第２熱交換器（５）の伝熱管（１５）の外表面及びフィン（１３）の外表面に吸着剤を担持するようにしたために、冷媒で吸着剤を直接的に冷却又は加熱することができる。この結果、上記吸着剤の吸脱着性能を最大限に発揮させることができるので、吸脱着効率の向上を図ることができると共に、装置全体のコンパクト化を図ることができる。
【０１２２】
つまり、上記吸着剤を単にフィン（１３）の外表面に接触させるのみでは、接触熱抵抗が大きく、冷却及び加熱の効果を期待することができない。本実施形態では、第１熱交換器（３）及び第２熱交換器（５）の伝熱管（１５）の外表面及びフィン（１３）の外表面に吸着剤を担持するようにしたために、冷却及び加熱の効果を十分に発揮させることができる。
【０１２３】
また、上記第１熱交換器（３）及び第２熱交換器（５）の外表面に吸着剤を担持するようにしたために、除湿運転と加湿運転とを連続して行うことができる。この結果、除湿運転と加湿運転とを効率よく行うことができる。
【０１２４】
また、上記第１熱交換室（６９）と第２熱交換室（７３）とを隣接し、該第１熱交換室（６９）及び第２熱交換室（７３）の厚さ方向に流入路（５７，６３）と流出路（５９，６５）とを重畳して配置するようにしたために、装置全体をコンパクトにすることができる。
【０１２５】
また、８つのダンパ（３５，…，４７，…）を設けて空気の流通方向を切り換えるようにしたために、空気流通の切換を簡素な構成でもって実現することができる。
【０１２６】
また、第１の流入路（６３）及び第１の流出路（６５）と第２の流入路（５７）及び第２の流出路（５９）と対称に配置するようにしたために、流通抵抗を低減することができる。この結果、除湿等を効率よく行うことができる。
【０１２７】
また、上記開口（３１ａ〜３１ｄ，３３ａ〜３３ｄ）は、行列方向に近接して位置し、ダンパ（３５，…，４７，…）で開閉するようにしたために、空気の流通系統を簡素に構成することができ、小型化を図ることができる。
【０１２８】
また、蒸気圧縮式冷凍サイクルの冷媒回路（１）を用いているので、吸着剤の吸着及び再生を効率よく行うことができる。
【０１２９】
【発明の他の実施の形態】
上記実施形態においては、第１熱交換器（３）及び第２熱交換器（５）のフィン（１３）の外表面及び伝熱管（１５）の外表面に吸着剤が担持されているが、本発明は、フィン（１３）の外表面及び伝熱管（１５）の外表面の少なくとも一方に吸着剤が担持されていればよい。
【０１３０】
また、上記実施形態は、第１熱交換器（３）及び第２熱交換器（５）の双方に吸着剤を担持するようにしたが、片方の熱交換器、例えば、第１熱交換器（３）のみに吸着剤を担持するようにしてもよい。この場合、水分の吸着と放出（吸着剤の再生）とが間欠的に行われることになる。
【０１３１】
また、本実施形態は、蒸気圧縮式冷凍サイクルの冷媒回路（１）を用いて第１熱交換器（３）及び第２熱交換器（５）の吸着剤の冷却又は加熱を行うようにしたが、冷水及び温水を用いるようにしてもよい。つまり、上記第１熱交換器（３）及び第２熱交換器（５）に冷水又は温水を流すことにより吸着剤の冷却又は加熱を行ってもよい。
【０１３２】
また、上記実施形態は、図３を平面視として設置するようにしたが、設置方向は実施形態に限られるものではない。
【０１３３】
また、上記実施形態は、第１ファン（７９）を第１吹出口（２３）に接続したが、第１ファン（７９）を第１吸込口（１９）に連続するように設けてもよい。また、上記実施形態は、第２ファン（７７）を第２吹出口（２５）に接続したが、第２ファン（７７）を第２吸込口（２１）に連続するように設けてもよい。要するに、第１ファン（７９）及び第２ファン（７７）は、吸込み形で用いてもよく、押込み形で用いてもよい。
【０１３４】
【発明の効果】
したがって、請求項１に係る発明によれば、第１熱交換室（６９）と第２熱交換室（７３）とを隣接し、該第１熱交換室（６９）及び第２熱交換室（７３）の厚さ方向に流入路（５７，６３）と流出路（５９，６５）とを重畳して配置するようにしたために、装置全体をコンパクトにすることができる。つまり、空気の流通系統を簡素に構成することができるので、小型化を図ることができる。
【０１３５】
また、上記第１の熱交換器（３）及び第２の熱交換器（５）の表面に吸着剤を担持するようにし、加熱冷却の手段と吸脱着の手段とを一体にするようにしたために、吸着剤の容器を省略して吸湿及び放湿を行うことができる。この結果、部品点数を少なくすることができ、構造の単純化を図ることができると共に、装置全体のコンパクト化を図ることができる。
【０１３６】
また、上記第１の熱交換器（３）及び第２の熱交換器（５）の表面に吸着剤を担持するようにしたために、冷媒で吸着剤を直接的に冷却又は加熱することができる。この結果、上記吸着剤の吸脱着性能を最大限に発揮させることができるので、吸脱着効率の向上を図ることができると共に、装置全体のコンパクト化を図ることができる。
【０１３７】
また、請求項２に係る発明によれば、開口（３１ａ〜３１ｄ，３３ａ〜３３ｄ）は、行列方向に近接して位置し、ダンパ（３５，…，４７，…）で開閉するようにしたために、空気の流通系統を簡素に構成することができ、小型化を図ることができる。
【０１３８】
また、請求項３に係る発明によれば、第１の流入路（６３）及び第１の流出路（６５）と第２の流入路（５７）及び第２の流出路（５９）と対称に配置するようにしたために、流通抵抗を低減することができる。この結果、除湿等を効率よく行うことができる。
【０１３９】
また、請求項４に係る発明によれば、蒸気圧縮式冷凍サイクルの冷媒回路（１）を用いているので、吸着剤の吸着及び再生を効率よく行うことができる。
【０１４０】
また、請求項５又は請求項６に係る発明によれば、吸着剤の容器を省略して除湿運転又は加湿運転を連続的に行うことができる。この結果、部品点数を少なくすることができ、構造の単純化を図ることができると共に、装置全体のコンパクト化を図ることができる。更に、除湿運転又は加湿運転を効率よく行うことができる。
【０１４１】
また、請求項７に係る発明によれば、除湿運転と加湿運転とを切り換えて連続的に行うことができる。この結果、部品点数を少なくすることができ、構造の単純化を図ることができると共に、装置全体のコンパクト化を図ることができる。更に、除湿運転又は加湿運転を効率よく行うことができる。
【図面の簡単な説明】
【図１】本発明の実施形態に係る調湿装置の冷媒回路を示す回路図である。
【図２】本発明の実施形態に係る熱交換器の斜視図である。
【図３】上面板を省略したケーシングの平面図である。
【図４】図３のＡ−Ａ線におけるケーシングの端面図である。
【図５】図３のＢ−Ｂ線におけるケーシングの端面図である。
【図６】閉状態のダンパーの側面図である。
【図７】開状態のダンパーの側面図である。
【図８】閉状態のダンパーの変形例の側面図である。
【図９】開状態のダンパーの変形例の側面図である。
【図１０】閉状態のダンパーの変形例の側面図である。
【図１１】開状態のダンパーの変形例の側面図である。
【図１２】除湿の第１動作を示し、上面板を省略したケーシングの平面図である。
【図１３】除湿の第２動作を示し、上面板を省略したケーシングの平面図である。
【図１４】加湿の第１動作を示し、上面板を省略したケーシングの平面図である。
【図１５】加湿の第２動作を示し、上面板を省略したケーシングの平面図である。
【図１６】本実施形態と従来の調湿装置との除湿運転時の空気状態を示した空気線図である。
【図１７】本実施形態と従来の調湿装置との除湿運転時のデータを示した図である。
【符号の説明】
１          冷媒回路
３          第１熱交換器（第１の熱交換器）
５          第２熱交換器（第２の熱交換器）
７          圧縮機
９          四路切換弁
１１        膨張弁（膨張機構）
１７        ケーシング
６９        第１熱交換室
７３        第２熱交換室
５７，６３    流入路
５９，６５    流出路
３１ａ〜３１ｄ，３３ａ〜３３ｄ        開口
３５〜４１，４７〜５３    ダンパ
【図１】
0003596547.tif 000002
【図２】
0003596547.tif 000003
【図３】
0003596547.tif 000004
【図４】
0003596547.tif 000005
【図５】
0003596547.tif 000006
【図６】
0003596547.tif 000007
【図７】
0003596547.tif 000008
【図８】
0003596547.tif 000009
【図９】
0003596547.tif 000010
【図１０】
0003596547.tif 000011
【図１１】
0003596547.tif 000012
【図１２】
0003596547.tif 000013
【図１３】
0003596547.tif 000014
【図１４】
0003596547.tif 000015
【図１５】
0003596547.tif 000016
【図１６】
0003596547.tif 000017
【図１７】
0003596547.tif 000018